(57)【要約】【課題】スペーサを用いて回路基板を筐体に取り付ける組立作業の作業性が良好な電気装置を提供する。【解決手段】絶縁フィルム５に入れた放射状の切り目５ｂによって形成される舌片部にスペーサ３を挟持させ、下部筐体１２へ絶縁フィルム５を設置する。位置決めピン４を下部筐体１２及び絶縁フィルム５に挿入して絶縁フィルム５を位置決めし、スペーサ３及び位置決めピン４の上に回路基板２を載置する。位置決めピン４の先端部を回路基板２に係止し、２つの取付ねじ６で回路基板２を下部筐体１２へ固定する。【選択図】図１
0003169207.tif 000002
【実用新案登録請求の範囲】
【請求項１】
電気回路を配した回路基板と、該回路基板を取り付ける導電性を有する筐体と、該筐体から前記回路基板を絶縁する絶縁フィルムと、前記回路基板と前記筐体との間に配置されて前記筐体から前記回路基板を隔離する筒状のスペーサとを備えた電気装置において、
前記絶縁フィルムは、前記回路基板の前記筐体への取付位置に対応する位置に放射状の切り目を入れて立ち上げた舌片部を有し、
前記スペーサは、前記舌片部に挟持され、
前記スペーサを挿通する取付具により前記回路基板を前記筐体に取り付けてあることを特徴とする電気装置。
【請求項２】
前記絶縁フィルムは、切り目が略６０°間隔で入れてあり、
前記スペーサは、６つの舌片からなる前記舌片部に挟持されていることを特徴とする請求項１に記載の電気装置。
【請求項３】
前記絶縁フィルムは、前記筐体の３つの連なる内壁面に沿う形状に折り曲げてあることを特徴とする請求項１または請求項２に記載の電気装置。
【請求項４】
前記スペーサは、導電性を有し、
前記回路基板は、前記スペーサと当接する接地用ランドを有することを特徴とする請求項１から請求項３のいずれか１つに記載の電気装置。
【請求項５】
前記絶縁フィルム及び前記筐体は、夫々位置決め孔を有し、
前記絶縁フィルム及び前記筐体の位置決め孔に挿入される位置決めピンをさらに備えたことを特徴とする請求項１から請求項４のいずれか１つに記載の電気装置。
【請求項６】
前記回路基板に配した電気回路は、照明光源に電力を供給して点灯させる点灯回路であることを特徴とする請求項１から請求項５のいずれか１つに記載の電気装置。
【考案の詳細な説明】
【技術分野】
【０００１】
本発明は、電気回路を配した回路基板を、絶縁フィルムによって筐体から絶縁して筐体に取り付ける構成の電気装置に関するものである。
【背景技術】
【０００２】
電気回路からの電磁ノイズを遮蔽するために、電気回路を配した回路基板を導電性のある筐体内に収納した構成の電気装置が用いられ、このような電気装置では、回路基板と筐体との間に絶縁フィルムが配置されて絶縁特性が確保される。このように絶縁フィルムを用いて、回路基板と筐体との間、回路基板間、又は回路基板と接地導体シートとの間などの絶縁特性を保つ技術は通常よく利用されている。
【０００３】
例えば、特許文献１には、基板に、シート状の絶縁フィルム、厚みのある板状のスペーサ、導電性シートを積層し、押ボタンを配したケースを取り付けて構成した押ボタンスイッチの電気装置が開示されている。この電気装置では、基板、絶縁フィルム、スペーサ、導電性シートによる積層を貫通するようにハトメを通し、ハトメによって積層の上下を挟み込んで、積層間がずれないように固定してある。また、ハトメ部分の導通によって基板と導電性シートとが部分的に電気接続されている。
【先行技術文献】
【特許文献】
【０００４】
【特許文献１】実開昭６１−１２０１３６号公報
【考案の概要】
【考案が解決しようとする課題】
【０００５】
しかしながら、特許文献１に記載の電気装置の構成では、基板と導電性シートとの間に厚みのある板状のスペーサを用いている。このような板状のスペーサを用い、筐体に回路基板を固定するような場合には、スペーサを入れるべき空間が大きくなって、装置のコスト高および重量増を招いてしまう。これらを回避するために、板状のスペーサではなく、固定する部分にのみ筒状のスペーサを配置する構成としても、スペーサを回路基板と筐体との間に配置したのち、ねじによって回路基板と筐体とを固定する作業の際に、スペーサの位置がずれてしまうことがあり、固定作業に手間がかかるという問題点がある。
【０００６】
本考案は斯かる事情に鑑みてなされたものであり、その目的とするところは、スペーサを用いて回路基板を筐体に取り付ける組立作業の作業性が良好な電気装置を提供することにある。
【課題を解決するための手段】
【０００７】
本考案に係る電気装置は、電気回路を配した回路基板と、該回路基板を取り付ける導電性を有する筐体と、該筐体から前記回路基板を絶縁する絶縁フィルムと、前記回路基板と前記筐体との間に配置されて前記筐体から前記回路基板を隔離する筒状のスペーサとを備えた電気装置において、前記絶縁フィルムは、前記回路基板の前記筐体への取付位置に対応する位置に放射状の切り目を入れて立ち上げた舌片部を有し、前記スペーサは、前記舌片部に挟持され、前記スペーサを挿通する取付具により前記回路基板を前記筐体に取り付けてあることを特徴とする。
【０００８】
本考案にあっては、回路基板と筐体との間に配置されて筐体から回路基板を隔離する筒状のスペーサが絶縁フィルムの舌片部に挟持されているので、組立作業においてスペーサがずれることがなく作業性が良好である。
【０００９】
本考案に係る電気装置は、前記絶縁フィルムは、切り目が略６０°間隔で入れてあり、前記スペーサは、６つの舌片からなる前記舌片部に挟持されていることを特徴とする。
【００１０】
本考案にあっては、略６０°間隔で入れた切り目によって形成される６つの舌片からなる舌片部にスペーサが挟持されているので、スペーサを舌片部のほぼ中央に配置することができる。
【００１１】
本考案に係る電気装置は、前記絶縁フィルムは、前記筐体の３つの連なる内壁面に沿う形状に折り曲げてあることを特徴とする。
【００１２】
本考案にあっては、絶縁フィルムは筐体の３つの連なる内壁面に沿う形状に折り曲げられているので、組立作業時に絶縁フィルムがずれにくく作業性が良好である。
【００１３】
本考案に係る電気装置は、前記スペーサは、導電性を有し、前記回路基板は、前記スペーサと当接する接地用ランドを有することを特徴とする。
【００１４】
本考案にあっては、スペーサは導電性を有し、回路基板はスペーサと当接する接地用ランドを有するので、スペーサを接地回路の一部とすることができる。
【００１５】
本考案に係る電気装置は、前記絶縁フィルム及び前記筐体は、夫々位置決め孔を有し、前記絶縁フィルム及び前記筐体の位置決め孔に挿入される位置決めピンをさらに備えたことを特徴とする。
【００１６】
本考案にあっては、絶縁フィルム及び筐体の位置決め孔に挿入される位置決めピンを備えるので、絶縁フィルムを筐体に配置するときに絶縁フィルムのずれがなく、組立作業の作業性が良好となる。
【考案の効果】
【００１７】
本考案によれば、回路基板と筐体との間に配置されて筐体から回路基板を隔離する筒状のスペーサが絶縁フィルムの舌片部に挟持されているので、組立作業においてスペーサがずれることがなく作業性を良好とすることができる。
【図面の簡単な説明】
【００１８】
【図１】本考案の実施の形態に係る電気装置の構成を示す分解斜視図である。
【図２】図１中のII―II線による断面図である。
【図３】絶縁フィルムの展開図である。
【図４】舌片部にスペーサが取り付けられる前の状態を示す部分断面図である。
【図５】舌片部にスペーサが挿入されて挟持された状態を示す部分断面図である。
【図６】絶縁フィルムの切り目を８つとした例を示す模式図である。
【図７】切り目の中心部分にさらに円形の切り目を設けた例を示す模式図である。
【考案を実施するための形態】
【００１９】
以下、本考案をその実施の形態を示す図面に基づき具体的に説明する。図１は本考案の実施の形態に係る電気装置の構成を示す分解斜視図、図２は図１中のII―II線による断面図である。また、図３は絶縁フィルムの展開図である。本考案の実施の形態に係る電気装置は、上部筐体１１及び下部筐体１２よりなる筐体１、電気回路を配した回路基板２、スペーサ３、位置決めピン４、絶縁フィルム５、取付ねじ６などを備えて構成される。
【００２０】
筐体１は、上部筐体１１及び下部筐体１２で構成されている。電気装置は、下部筐体１２にスペーサ３、絶縁フィルム５、回路基板２を取付ねじ６によって取り付け、上部筐体１１を下部筐体１２の上から被せて組立てることにより、箱型になる。上部筐体１１及び下部筐体１２は導電性を有することによって、回路基板２上の電気回路からの電磁ノイズを遮蔽する。上部筐体１１及び下部筐体１２をアルミなどの金属製とすることにより導電性をもたせることができ、また、樹脂製として、内面又は外面に無電解ニッケルめっき、無電解銅めっき等の金属めっき処理を施すことによっても、導電性をもたせることができる。
【００２１】
上部筐体１１は、天蓋１１ａ及び側面部１１ｂを有し、側面部１１ｂには電気線２ｂの引き出し孔１１ｃが設けられている。下部筐体１２は、略長方形で板状の底部１２ａと、底部１２ａの２長辺の夫々から略直角に同じ向きに立ち上がるように形成された互いに平行な２つの側面部１２ｂと、底部１２ａの２短辺から下方に折り曲げて形成された取付台座１２ｃとを有する。下部筐体１２の底部１２ａは、取付ねじ６を螺合させるねじ孔１２ｄ、及び位置決めピン４を挿通させるピン孔１２ｅを有する。また、取付台１２ｃは、電気装置を、例えば家屋の壁面や柱などの設置箇所に取り付けるための取付孔１２ｆを有する。
【００２２】
回路基板２は、プリント配線基板であり、電気回路を構成する電気部品２ａが実装され、電気線２ｂが半田付けされている。また、回路基板２を取付ねじ６により下部筐体１２へ取り付ける箇所には、回路基板２を貫通する取付孔が設けられ、この取付孔の周囲には、電気回路の接地ラインが接続された接地用ランド２ｃが回路基板２の上面若しくは下面のいずれか一方の面又は上下両面に設けられている。さらに回路基板２は、位置決めピン４の先端部が係止するピン孔２ｄを有する。
【００２３】
回路基板２上に配する電気回路（電気部品２ａによって構成される。）は、例えば、照明光源に電力を供給して点灯させる点灯回路である。照明光源としては、電球、蛍光灯、放電灯、ＬＥＤ（Light Emitting Diode）などがあり、商用交流電源（１００Ｖ、５０／６０Ｈｚ）、直流電源等の電源から各照明光源に電力供給する電気回路は夫々、一般によく知られている専用の点灯回路を用いることができる。このような点灯回路を有する電気装置の多くは、筐体１に電磁シールド効果を持たせ、接地ラインを筐体１へ接続して接地しつつ、筐体１内部に配置する回路基板２を絶縁フィルム５により絶縁する構成を有しているので、本考案を適用する電気装置として好適である。例えば、ＬＥＤを点灯させる点灯回路は、交流を直流に変換する変換回路、ノイズを除去するフィルタ回路、電流のリップルを低減する安定化回路等によって構成されるものであり、この構成例に限らず、様々なＬＥＤ点灯回路や、他の照明光源用の点灯回路を回路基板２に配する電気回路として適用することが可能である。
【００２４】
スペーサ３は、円または多角形断面の筒状をなし、中心の貫通孔には、取付ねじ６が挿通する。スペーサ３は、所定の高さを有し、導電性のある材質（例えばステンレスなど）とすることによって接地機能を発揮するが、接地機能が不要であれば任意の材質でもよい。位置決めピン４は、ピン孔１２ｅに挿し込まれて固定され、先端部は回路基板２のピン孔２ｄに挿し込まれて回路基板２に係止する。
【００２５】
絶縁フィルム５は、ポリエステル、ポリエチレン等の樹脂製又は紙製等の絶縁性の高い素材によるフィルムであり、型を用いた打ち抜き工法などによって製作される。打ち抜きの際に、図３中に破線により示す折り目、２つの切り目５ｂ、及びピン孔５ｃも同時に形成することができる。絶縁フィルム５は、折り目で折り曲げられることによって、筐体１の内壁面に沿うように筐体１内に配置される。
【００２６】
絶縁フィルム５に設けた切り目５ｂは、回路基板２の下部筐体１２への取付位置に対応する位置に放射状に切り込んで形成されたものである。切り目５ｂは、略６０°間隔で入れてあり、隣り合う切り目５ｂの間の部分は、舌片５ｄとなって絶縁フィルム５の面外方向に立ち上げることができる。切り目５ｂによって、６つの舌片５ｄからなる舌片部５１が形成される。図４は舌片部５１にスペーサ３が取り付けられる前の状態を示す部分断面図、図５は舌片部５１にスペーサ３が挿入されて挟持された状態を示す部分断面図である。スペーサ３は、舌片部５１に挿入されることにより６つの舌片５ｄが立ち上がり、立ち上がった６つの舌片５ｄにより周囲から挟み込まれるように挟持される。
【００２７】
これらの構成によって、電気装置は次のように組み立てられる。まず、絶縁フィルム５の舌片部５１に２つのスペーサ３を挟持させる。ここで、舌片部５１の各舌片５ｄをフィルム面外方向へ約４５°起こしておけば、スペーサ３を舌片部５１へ挿入して挟持させることが容易になる。つぎに、絶縁フィルム５を、折り目で折り曲げ、下部筐体１２の３つの連なる面（底部１２ａ、２つの側面部１２ｂの内壁面）に沿うように設置する。位置決めピン４を下部筐体１２のピン孔１２ｅ及び絶縁フィルム５のピン孔５ｃに挿入して、絶縁フィルム５の位置を決める。このとき、絶縁フィルム５は、下部筐体１２の底部１２ａの短辺方向には２つの側面部１２ｂに突き当たって位置決めされ、長辺方向には位置決めピン４により位置決めされる。
【００２８】
つぎに、スペーサ３及び位置決めピン４の上に回路基板２を載置し、位置決めピン４の先端部を回路基板２のピン孔２ｄに係止し、２つの取付ねじ６を回路基板２及びスペーサ３に挿通させ、ねじ孔１２ｄに螺合し、回路基板２を下部筐体１２に固定する。位置決めピン４及び２つの取付ねじ６によって、回路基板２は下部筐体１２に３点で固定されているので、ぐらつきがなく安定して固定される。絶縁フィルム５を天蓋１１ａの直下で折り目により図１に示す矢印Ａの方向へ折り曲げ、上部筐体１１で蓋をする。
【００２９】
以上の組立により、スペーサ３の高さの分、回路基板２は下部筐体１２から隔離して配置することができ、絶縁フィルム５は、内部に回路基板２を包み込むように筐体１内部に配置され、回路基板２を筐体１から絶縁する。スペーサ３が絶縁フィルム５の舌片部５１に挟持されるので、組立作業においてスペーサ３がずれることがなく、作業性が良好となる。スペーサ３に導電性を持たせて接地する場合、接地用ランド２ｃを回路基板２の下面側に設けてスペーサ３に当接させることにより、回路基板２上の電気回路の接地ラインを筐体１へ接地することができる。また、回路基板２の上面に設けた接地用ランド２ｃに導電性のある取付ねじ６が当接することによって、取付ねじ６を介して回路基板２上の電気回路の接地ラインを筐体１へ接地することもできる。また、スペーサ３は、略６０°間隔で入れた切り目によって形成される６つの舌片５ｄからなる舌片部５１のほぼ中央の位置（放射状の切り目の中心位置）に配置することができる。
【００３０】
また、絶縁フィルム５に入れる切り目５ｂは、放射状に８つの切り目を入れてあるものでもよい。図６は、絶縁フィルム５の切り目５ｂを８つとした例を示す模式図である。このように切り目５ｂを数多く細かく入れることによって、形成される舌片５ｄを立ち上げ易くなり、組立作業の作業性が良好となる。また、放射状の切り目５ｂの中心部分にさらに円形の切り目を設けてもよい。図７は、切り目５ｂの中心部分にさらに円形の切り目５ｅを設けた例を示す模式図である。このように放射状の中心を円形に抜くことによって、スペーサ３を挿し込む際の抵抗が小さくなって組立作業の作業性が良好となる。また、スペーサ３を挟持する舌片５ｄの先端部が平坦になるので、スペーサ３は、舌片５ｄの先端部と線接触し、舌片部５１での支持が安定する。
【００３１】
また、以上の実施の形態では、回路基板２に配する電気回路を点灯回路とした例について説明したが、点灯回路以外のいかなる電気回路であっても、本考案に係る電気装置の回路基板２に配する電気回路とすることができる。
【符号の説明】
【００３２】
１  筐体、１２ｅ  ピン孔（位置決め孔）
２  回路基板、２ａ  電気部品、２ｃ  接地用ランド
３  スペーサ
４  位置決めピン
５  絶縁フィルム、５ｂ  切り目、５ｃ  ピン孔（位置決め孔）、５ｄ  舌片
５１  舌片部
６  取付ねじ（取付具）
【図１】
0003169207.tif 000003
【図２】
0003169207.tif 000004
【図３】
0003169207.tif 000005
【図４】
0003169207.tif 000006
【図５】
0003169207.tif 000007
【図６】
0003169207.tif 000008
【図７】
0003169207.tif 000009